(57)【要約】【課題】ジョブ実行中に未使用の用紙トレイを有効活用できるようにすると共に、装置を停止させることなく転写紙を連続出力できるようにする。【解決手段】ジョブが実行又は予約されている用紙トレイであると判定した場合には、当該用紙トレイの転写紙情報の変更を禁止し、ジョブが実行及び予約されていない用紙トレイであると判定した場合には、当該用紙トレイの転写紙情報の変更を許可するものである。これにより、ジョブ実行中に、誤って使用トレイ及び予約トレイの転写紙情報を書き換えることなく、未使用トレイの転写紙情報のみを確実に書き換えることができる。従って、ジョブ実行中に未使用トレイを有効活用できるので、当該複合機を停止させることなく大量のジョブを連続で出力することができる。【選択図】図９
2009274391.tif 000002
【特許請求の範囲】
【請求項１】
画像を形成する画像形成部と、
前記画像形成部に転写紙を給紙する複数のトレイと、
前記転写紙が装填される前記トレイ毎の転写紙情報及び実行ジョブ又は予約ジョブで使用するトレイであるか否かのトレイ情報を記憶する記憶部と、
実行ジョブ又は予約ジョブを受け付けた場合、前記実行ジョブ又は予約ジョブで使用するトレイを使用中トレイとしてトレイ情報を前記記憶部に記憶し、前記トレイの前記転写紙情報の変更のために前記複数のトレイの中の何れかのトレイが指定された場合、前記トレイ情報に基づき、前記指定されたトレイが前記使用中トレイであるか否かを判定する制御部を備え、
前記制御部は、前記指定されたトレイが使用中トレイであると判定した場合、当該トレイの前記転写紙情報の変更を禁止し、前記指定されたトレイが使用中トレイでないと判定した場合、当該トレイの前記転写紙情報の変更を許可することを特徴とする画像形成装置。
【請求項２】
前記トレイの転写紙情報を表示する表示操作部を備え、
前記制御部は、前記指定されたトレイが使用中トレイであると判定した場合、前記表示操作部に表示される前記転写紙情報設定画面のトレイを識別可能に表示することを特徴とする請求項１に記載の画像形成装置。
【請求項３】
前記制御部は、前記指定されたトレイが使用中トレイであると判定した場合、前記表示操作部に表示される前記転写紙情報設定画面のトレイの選択操作を不能に制御することを特徴とする請求項２に記載の画像形成装置。
【請求項４】
前記転写紙情報には、用紙サイズ、紙種、坪量、色、パンチ穴、主副走査画像位置および主副走査倍率の少なくとも１つの項目を含むことを特徴とする請求項１に記載の画像形成装置。
【請求項５】
画像を形成する画像形成部と、
前記画像形成部に転写紙を給紙する複数のトレイと、
前記転写紙が装填される前記トレイ毎の転写紙情報及び実行ジョブ又は予約ジョブで使用するトレイであるか否かのトレイ情報を記憶する記憶部と、
を備えた画像形成装置の制御方法であって、
実行ジョブ又は予約ジョブを受け付けた場合、前記実行ジョブ又は予約ジョブで使用するトレイを使用中トレイとしてトレイ情報を前記記憶部に記憶するステップと、
前記トレイの前記転写紙情報の変更のために前記複数のトレイの中の何れかのトレイが指定された場合、前記トレイ情報に基づき、前記指定されたトレイが前記使用中トレイであるか否かを判定するステップと、
前記指定されたトレイが使用中トレイであると判定した場合、当該トレイの前記転写紙情報の変更を禁止するステップと、
前記指定されたトレイが使用中トレイでないと判定した場合、当該トレイの前記転写紙情報の変更を許可するステップと、
を有することを特徴とする画像形成装置の制御方法。
【発明の詳細な説明】
【技術分野】
【０００１】
本発明は、登録された複数のジョブを所定の順序で実行し、転写紙に画像を形成するコピー機や、プリンタ及びスキャナ等の機能を有したデジタル複合機に適用可能な画像形成装置およびその制御方法に関するものである。
【背景技術】
【０００２】
近年、多種多様の転写紙を使用して大量のジョブ（ＪＯＢ）を連続で出力するＰＯＤ（プリントオンデマンド）機が使用されることが多くなってきている。このＰＯＤ機では、ジョブ予約時に用紙トレイの転写紙情報を変更できる出力予約機能を備えている機種も存在している。
【０００３】
例えば、特許文献１には、出力予約機能を備えた画像形成装置が開示されている。この画像形成装置によれば、ジョブ実行中及びジョブ予約中に、出力予約機能によって、転写紙情報（例えば用紙サイズ、紙種、坪量、色紙、穴あき、表裏調整など）の予約を用紙トレイ毎に行う。
【０００４】
また、特許文献２には、プリントジョブに必要な記録紙がセットされていないときに、当該プリントジョブの待機中に報知するようにしたプリンタ装置が開示されている。このプリンタ装置によれば、メインプロセッサ部に送られたジョブプログラムの記録紙の種類データと、プリント出力部に収容されている記録紙の種類データとを比較する。比較後、ジョブプログラムにおける種類データとプリント出力部における種類データとが異なれば、記録紙交換などのメッセージを表示する。
【０００５】
【特許文献１】特開２００５−３４５７３２号公報（第９頁、図３）
【特許文献２】特開平８−５５２２８号公報（第３頁、図２）
【発明の開示】
【発明が解決しようとする課題】
【０００６】
しかしながら、特許文献１の画像形成装置において、ジョブ実行中及びジョブ予約中は、未使用の用紙トレイであっても、出力予約機能を使用する以外に用紙トレイの転写紙情報を変更できなかった。この出力予約機能により、用紙トレイの転写紙情報を予約することができても、未使用の用紙トレイの転写紙情報を直接書き換えることができなかった。
【０００７】
この場合、特許文献１の画像形成装置は、予約ジョブを開始する際に用紙トレイの既存の転写紙情報に当該予約ジョブの転写紙情報を書き換える。このため、予約ジョブの開始時に、この予約ジョブの転写紙情報と用紙トレイに格納されている転写紙の情報とが異なる場合、紙種不一致で当該装置が停止する問題があった。この紙種不一致は、転写紙情報の書き換えやトレイの転写紙を交換することにより生じる。この装置停止により、生産性が低下する問題があった。また、特許文献２のプリンタ装置において、ジョブ実行中及びジョブ予約中は、プリント出力部に収容されている未使用トレイの記録紙の種類データを設定変更できない問題がある。
【０００８】
そこで、本発明は、ジョブ実行中に未使用の用紙トレイを有効活用できるようにすると共に、装置を停止させることなく転写紙を連続出力できるようにした画像形成装置およびその制御方法を提供することを目的とする。
【課題を解決するための手段】
【０００９】
上記課題を解決するために、請求項１に係る画像形成装置は、画像を形成する画像形成部と、前記画像形成部に転写紙を給紙する複数のトレイと、前記転写紙が装填される前記トレイ毎の転写紙情報及び実行ジョブ又は予約ジョブで使用するトレイであるか否かのトレイ情報を記憶する記憶部と、前記複数のトレイの各々に対して、前記画像形成部により画像を形成するジョブが実行又は予約されているトレイであるか否かを設定情報に基づいて判定する制御部とを備え、前記制御部は、前記ジョブが実行又は予約されているトレイであると判定した場合、当該トレイの転写紙情報の変更を禁止し、前記ジョブが実行及び予約されていないトレイであると判定した場合、当該トレイの転写紙情報の変更を許可することを特徴とするものである。
【００１０】
請求項１に係る画像形成装置によれば、ジョブ実行中に、誤って使用トレイ及び予約トレイの転写紙情報を書き換えることなく、未使用トレイの転写紙情報のみを確実に書き換えることができるようになる。
【００１１】
請求項２に係る画像形成装置は、請求項１において、前記トレイの転写紙情報を表示する表示操作部を備え、前記制御部は、前記指定されたトレイが使用中トレイであると判定した場合、前記表示操作部に表示される前記転写紙情報設定画面のトレイを識別可能に表示することを特徴とするものである。
【００１２】
請求項３に係る画像形成装置は、請求項２において、前記制御部は、前記指定されたトレイが使用中トレイであると判定した場合、前記表示操作部に表示される前記転写紙情報設定画面のトレイの選択操作を不能に制御することを特徴とするものである。
【００１３】
請求項４に係る画像形成装置は、請求項１において、前記転写紙情報には、用紙サイズ、紙種、坪量、色、パンチ穴、主副走査画像位置および主副走査倍率の少なくとも１つの項目を含むことを特徴とするものである。
【００１４】
請求項５に係る画像形成装置の制御方法は、画像を形成する画像形成部と、前記画像形成部に転写紙を給紙する複数のトレイと、前記転写紙が装填される前記トレイ毎の転写紙情報及び実行ジョブ又は予約ジョブで使用するトレイであるか否かのトレイ情報を記憶する記憶部と、を備えた画像形成装置の制御方法であって、実行ジョブ又は予約ジョブを受け付けた場合、前記実行ジョブ又は予約ジョブで使用するトレイを使用中トレイとしてトレイ情報を前記記憶部に記憶するステップと、前記トレイの前記転写紙情報の変更のために前記複数のトレイの中の何れかのトレイが指定された場合、前記トレイ情報に基づき、前記指定されたトレイが前記使用中トレイであるか否かを判定するステップと、前記指定されたトレイが使用中トレイであると判定した場合、当該トレイの前記転写紙情報の変更を禁止するステップと、前記指定されたトレイが使用中トレイでないと判定した場合、当該トレイの前記転写紙情報の変更を許可するステップとを有することを特徴とするものである。
【発明の効果】
【００１５】
本発明に係る画像形成装置によれば、ジョブが実行又は予約されているトレイであると判定した場合には、当該トレイの転写紙情報の変更を禁止し、ジョブが実行及び予約されていないトレイであると判定した場合には、当該トレイの転写紙情報の変更を許可するものである。
【００１６】
この構成によって、ジョブ実行中に、誤って使用トレイ及び予約トレイの転写紙情報を書き換えることなく、未使用トレイの転写紙を他の種類の転写紙と交換して転写紙情報のみを確実に書き換えることができる。これにより、ジョブ実行中に未使用トレイの転写紙の交換が可能となりトレイを有効活用できるので、当該装置を停止させることなく大量のジョブを連続で出力することができる。
【発明を実施するための最良の形態】
【００１７】
以下、図面を参照しながら、本発明の実施の形態の画像形成装置およびその制御方法について説明する。
【００１８】
図１は、本発明に係る実施の形態としてのデジタル複合機１００の構成例を示す概略図である。図１に示すデジタル複合機１００は画像形成装置の一例であり、所定のプログラム情報に基づいて画像を形成する装置である。このデジタル複合機１００は、登録された複数のジョブを所定の順序で実行し、転写紙に画像を形成するコピー機や、プリンタ及びスキャナの機能を有している。デジタル複合機１００は、例えば、多種多様の転写紙を使用して大量のジョブを連続で出力するＰＯＤ（プリントオンデマンド）機として機能する。
【００１９】
この例で、デジタル複合機１００はモノクロ画像を得る直接転写方式の複合機を構成するものであり、装置本体Ａを有している。もちろん、装置本体Ａに後処理装置９０を連結して使用してもよい。この装置本体Ａ内には用紙トレイＴ１、Ｔ２、スキャナ部１１、画像制御部１５、書き込み処理部６０及び、画像形成部７０等が備えられる。
【００２０】
この装置本体Ａの上部には自動原稿給紙装置（ＡＤＦ）４０が取り付けられており、任意の原稿２０を自動給紙するように動作する。例えば、ＡＤＦ４０は原稿載置部４１、ローラ４２ａ、ローラ４２ｂ、ローラ４３、搬送ローラ４４及び排紙皿４６を有している。原稿載置部４１には一又は複数の原稿２０が載置される。原稿載置部４１の下流側にはローラ４２ａ及び４２ｂが設けられ、自動給紙モードが選択されたとき、原稿載置部４１から繰り出された原稿２０は下流側のローラ４３によってＵ字回転するように搬送される。なお、自動給紙モードが設定された場合、原稿２０の記録面は原稿載置部４１で上に向けて載置される。
【００２１】
一方、本体装置内には、スキャナ部１１が設けられている。スキャナ部１１には縮小型イメージセンサが使用される。また、スキャナ部１１では、例えば、原稿２０がローラ４３によってＵ字状に反転するときに、その原稿２０の表面を読み取って原稿の画像データ（以下原稿画像データＤinという）を出力する。
【００２２】
スキャナ部１１は第１のプラテンガラス５１、第２のプラテンガラス（ＡＤＦガラス）５２、光源５３、ミラー５４、５５、５６、結像光学部５７、ＣＣＤ撮像装置５８及び図示しない光学駆動部を有している。スキャナ部１１で読み取られた原稿２０は、搬送ローラ４４により搬送されて排紙皿４６へ排紙される。
【００２３】
スキャナ部１１には、縮小型イメージセンサを構成するＣＣＤ撮像装置５８が備えられ、このＣＣＤ撮像装置５８の出力段には画像制御部１５が接続され、画像制御部１５で画像処理した後の原稿画像データＤinが画像形成部７０に出力される。画像形成部７０では、例えば用紙トレイＴ１〜Ｔ８のいずれか１つから繰り出されて供給された転写紙３０に画像を形成する。これらの用紙トレイＴ１〜Ｔ８は、複数のトレイの一例を構成する。
【００２４】
画像形成部７０は有機感光層を有する感光体ドラム７１、帯電部７２、現像部７３、転写部７４、分離部７５、クリーニング部７６、搬送機構部７７及び定着部７８を有している。
【００２５】
この感光体ドラム７１の上方には帯電部７２が配設され、所定の帯電電位に基づいて予め感光体ドラム７１が一様に帯電される。感光体ドラム７１の例えば斜め右上方には書き込み処理部６０が設けられ、画像処理後の原稿画像データＤinに基づく所定強度のレーザ光が照射され感光体ドラム７１が露光され、その感光体ドラム７１上に静電潜像が形成される。
【００２６】
感光体ドラム７１の右側にはトナー及びキャリアからなる現像剤が収容された現像部７３が配設され、書き込み処理部６０によって露光された静電潜像はトナーによって現像される。この現像部７３の下方にはレジストローラ６２や用紙トレイＴ１及びＴ２等が設けられる。装置本体Ａの右側には手差しトレイ６３及び大容量用紙トレイ３０Ｔが取り付けられている。この大容量用紙トレイ３０Ｔは、用紙トレイＴ３〜用紙トレイＴ８の６個の用紙トレイから構成されている。
【００２７】
用紙トレイＴ１及びＴ２や大容量用紙トレイ３０Ｔ、手差しトレイ６３等にセットされた転写紙３０は給紙制御によって所定の給紙ローラにより当該トレイから繰り出され、搬送ローラ６１、レジストローラ６２等を経て感光体ドラム７１下に搬送される。
【００２８】
なお、用紙トレイＴ１〜Ｔ８には、トレイ上昇用モータ、トレイ上限センサなど（図示せず）を備えている。トレイ上昇用モータ、トレイ上限センサからの情報等に基づいて、転写紙３０の残量を検出することが可能である。
【００２９】
感光体ドラム７１の下方には転写部７４が配設され、帯電、露光、現像を経てその感光体ドラム７１上に形成されたトナー像が、レジストローラ６２により搬送タイミング制御される転写紙３０に転写される。この転写部７４に隣接して分離部７５が設けられ、トナー像を転写した転写紙３０が感光体ドラム７１から分離される。この分離部７５の下流側には搬送機構部７７が設けられ、その終端部には定着部７８が設けられる。定着部７８は転写紙３０に転写されたトナー像を定着する。搬送機構部７７と上述の帯電部７２との間であって、感光体ドラム７１に対向してクリーニング部７６が設けられ、感光体ドラム７１に残留したトナーがクリーニングされる。
【００３０】
この例で両面コピーが選択されると、用紙の表面に画像形成され、定着部７８から排出された転写紙３０の裏面にも画像が形成される。定着部７８から排出された転写紙３０は分岐手段９１によりシート排紙路から分岐され、それぞれ給紙手段２３を構成する下方の反転ローラ９２や、反転部９３等により表裏を反転され、反転後の転写紙３０は反転搬送路９４を通過して搬送ローラ６１の手前において通常の給紙路と合流する。
【００３１】
ここで反転搬送された転写紙３０は、レジストローラ６２を経て、再度、転写部７４に搬送され、転写紙３０の裏面上にトナー像が転写される。トナー像が転写された転写紙３０は、定着部７８により定着処理され、排紙ローラ９５に挟持されて機外の排紙トレイ９６等に排紙される。上述の処理で画像形成が完了した転写紙３０は排紙トレイ９６に限られることはなく、後処理装置９０によってステープル処理や綴じ込み処理等を行われる場合もある。
【００３２】
図２は、デジタル複合機１００の制御系の構成例を示すブロック図である。図２に示すデジタル複合機１００は、所定のプログラム情報に基づいて画像を形成する装置である。このデジタル複合機１００は、スキャナ部１１、画像制御部１５、プリント及びスキャナコントローラ２１、操作部４８、画像形成部７０及びＡＤＦ制御部８１を有している。
【００３３】
図２において、スキャナ部１１は画像制御部１５に接続される。画像制御部１５で画像処理した後の原稿画像データＤinは画像形成部７０に出力される。プリント及びスキャナコントローラ２１は、ＬＡＮ（Local Area Network）インタフェース１２、ＤＲＡＭ制御ＩＣ１３、画像メモリ１６及びコントローラ制御部１７を有している。プリント及びスキャナコントローラ２１は、ＰＣＩバス１９を通じて画像制御部１５に接続される。
【００３４】
ＬＡＮインタフェース１２は、当該デジタル複合機１００をプリンタとして使用する場合や、プログラム書き換え時等において、ＬＡＮケーブルを介して外部コンピュータに接続される。
【００３５】
ＬＡＮインタフェース１２にはＤＲＡＭ制御ＩＣ１３が接続され、ＤＲＡＭ制御ＩＣ１３には画像メモリ１６及びコントローラ制御部１７が接続される。画像メモリ１６には、プリントモード時において、外部のコンピュータ等から取り込んだプリントデータ等がコントローラ制御部１７及びＤＲＡＭ制御ＩＣ１３の制御を受けて記憶される。
【００３６】
画像制御部１５は、画像メモリ１６からプリントデータを読み出して画像処理を行う。画像制御部１５は、スキャナ部１１、プリント及びスキャナコントローラ２１及び画像形成部７０、操作部４８は表示操作部の一例として機能し、ＡＤＦ制御部８１を接続して使用される。
【００３７】
スキャナ部１１は、図１で説明したＣＣＤ撮像装置５８の他に、スキャナ制御部５９を備えている。スキャナ制御部５９はＣＣＤ撮像装置５８の入出力を制御する。例えば、スキャナ制御部５９は、自動給紙モードが選択されたとき、図１に示した原稿載置部４１から繰り出された原稿２０を下流側のローラ４３によってＵ字回転するように搬送制御する。ＣＣＤ撮像装置５８は、原稿２０がローラ４３によってＵ字状に反転するときに、その原稿２０の表面を読み取って原稿表面の画像情報を読み取るようになされる。ＣＣＤ撮像装置５８から得られたアナログ画像取得信号はアナログ・デジタル変換されてデジタルの原稿画像データＤinとなる。
【００３８】
図２において、画像制御部１５は、読み取り処理部３１、圧縮ＩＣ３２、画像メモリ（ＤＲＡＭ）３３、不揮発メモリ３４、ＤＲＡＭ制御ＩＣ３５、伸長ＩＣ３８、書き込み処理部６０を有している。上述の原稿画像データＤinは読み取り処理部３１に出力される。読み取り処理部３１はスキャナ部１１及びＰＣＩバス１９に接続される。読み取り処理部３１では、スキャナ部１１から転送されてきた原稿画像データＤinを読み取り処理する。読み取り処理部３１は、圧縮ＩＣ３２が接続され、原稿画像データＤinを圧縮して符号化する。圧縮符号化後の原稿画像データＤinは圧縮画像データとなる。
【００３９】
圧縮ＩＣ３２には、ＤＲＡＭ制御ＩＣ３５を通じて画像メモリ３３が接続される。画像メモリ３３はＤＲＡＭから構成され、圧縮メモリ３６及びページメモリ３７を有している。圧縮メモリ３６にはＤＲＡＭ制御ＩＣ３５のメモリ制御を受けて、圧縮画像データが格納される。また、ＤＲＡＭ制御ＩＣ３５は伸長ＩＣ３８が接続され、画像形成時に、圧縮画像データを伸長復号化する。伸長復号化後の画像データは原稿画像データＤinとなる。伸長復号化後の原稿画像データＤinは、ページメモリ３７に格納される。また、ＤＲＡＭ制御ＩＣ３５は、ジョブエンドを検出する。
【００４０】
上述のＰＣＩバス１９には書き込み処理部６０が接続され、ページメモリ３７から読み出された原稿画像データＤinに基づいてレーザ駆動信号Ｓoutが生成される。レーザ駆動信号Ｓoutは、画像形成部７０に出力される。なお、伸長ＩＣ３８に書き込み処理部６０を接続し、ページメモリ３７を介さずに直接、伸長復号化後の原稿画像データＤinを書き込み処理部６０に供給してもよい。
【００４１】
また、図２に示す画像制御部１５には操作部４８が接続される。この操作部４８は、コピー枚数や画像濃度等の画像形成条件の設定、用紙トレイＴ１〜Ｔ８等の１つを選択する際に操作される。また、操作部４８は、コピーなどの画像形成ジョブを予約する。
【００４２】
操作部４８には図示しない操作パネルの他にＬＣＤ（液晶表示装置）１８が備えられ、転写紙３０のサイズや、コピー枚数、画像濃度等の画像形成条件を表示するように動作する。また、ＬＣＤ１８は、用紙トレイＴ１〜Ｔ８に対して図３に示す転写紙情報Ｄ１（ｄ１〜ｄ８）を設定可能であるか否かを表示する。
【００４３】
操作部４８は、ＬＣＤ１８上にタッチパネル（タッチスクリーン）が組み合わされ、ＧＵＩ（Graphic User Interface）方式の操作パネルが構成される。例えば、操作部４８は、ＬＣＤ１８と不図示のマトリクス・スイッチ等を組み合わせた装置で、画面上の表示を押さえることでデジタル複合機１００を操作する入力装置である。操作部４８はＬＣＤ１８の他に操作部制御部１４を備えている。操作部制御部１４はＬＣＤ１８を表示制御したり、タッチパネルで発生するタッチ検知信号の入力制御をする。タッチパネルからの入力信号は画像信号制御部１５Ａの画像制御ＣＰＵ８５に供給される。上述の操作部４８により入力された操作データＤ３は、システムメモリ８３に登録される。
【００４４】
図２に示す画像形成部７０は、レーザーダイオード（ＬＤ）６４及びプリンタ制御部６５を備えており、上述の操作部４８により設定された内容に基づいて画像を形成するように動作する。
【００４５】
レーザーダイオード（ＬＤ）６４はレーザ駆動信号Ｓoutに基づいてレーザ光を発生する。当該レーザ光は、図１に示した書き込み処理部６０の走査機構によって感光体ドラム７１上に走査される。この走査により感光体ドラム７１上に静電潜像が形成される。静電潜像は画像形成部７０でトナー現像され、所望の転写紙３０にトナー像が転写される。プリンタ制御部６５は、画像処理後の原稿画像データ又はプリントデータを画像形成部７０に出力して画像形成制御をする。
【００４６】
画像信号制御部１５Ａは、記憶部の一例である不揮発メモリ３４、システムメモリ（ＲＡＭ）８３、ＨＤＤ（Hard Disk Drive）８４、画像制御ＣＰＵ８５を有している。上述のＤＲＡＭ制御ＩＣ３５には画像制御ＣＰＵ８５が接続される。画像制御ＣＰＵ８５は、ＨＤＤ８４に格納されたグログラムに基づいて当該デジタル複合機１００全体を制御する。
【００４７】
画像制御ＣＰＵ８５は制御部の一例であり、用紙トレイＴ１〜Ｔ８に装填される転写紙３０に関する情報を取得する。例えば、画像制御ＣＰＵ８５は、不図示の用紙サイズ検出センサから用紙トレイＴ１〜Ｔ８に格納されている転写紙３０のサイズ情報を取得する。また、画像制御ＣＰＵ８５は、実行ジョブ又は予約ジョブを受け付けた場合、この実行ジョブ又は予約ジョブで使用する用紙トレイを使用中トレイとしてトレイ情報ｄ１０〜ｄ８０（図３参照）を不揮発メモリ３４に記憶する。そして、画像制御ＣＰＵ８５は、図３に示す用紙トレイの転写紙情報Ｄ１（ｄ１〜ｄ８）の変更のために用紙トレイＴ１〜Ｔ８の中の何れかの用紙トレイが指定された場合、これらのトレイ情報ｄ１０〜ｄ８０に基づき、指定された用紙トレイが使用中トレイであるか否かを判定する。画像制御ＣＰＵ８５は、指定された用紙トレイが使用中トレイであると判定した場合、図３に示す使用中の当該用紙トレイの転写紙情報Ｄ１（ｄ１〜ｄ８）の変更を禁止し、指定された用紙トレイが使用中トレイでないと判定した場合、当該用紙トレイの転写紙情報Ｄ１（ｄ１〜ｄ８）の変更を許可する。
【００４８】
これにより、ジョブ実行中に、誤って使用するトレイの転写紙情報Ｄ１を書き換えることなく、未使用トレイの転写紙情報Ｄ１のみを確実に書き換えることができる。従って、ジョブ実行中に未使用トレイを有効活用できるので、デジタル複合機１００を停止させることなく大量のジョブを連続で出力することができる。
【００４９】
不揮発メモリ３４やＨＤＤ８４等はデータの書き換えが可能で電源を切ってもデータが消去されないメモリである。この不揮発メモリ３４には、用紙トレイＴ１〜Ｔ８における各々の転写紙情報Ｄ１（ｄ１〜ｄ８）が当該トレイ毎に記憶されている。この転写紙情報Ｄ１は、用紙サイズ、紙種、坪量、色、パンチ穴、主副走査画像位置および主副走査倍率等である。画像制御ＣＰＵ８５は、不揮発メモリ３４に記憶された各トレイ毎の転写紙情報Ｄ１（ｄ１〜ｄ８）を取得して操作部制御部１４に出力する。操作部制御部１４は、この転写紙情報Ｄ１（ｄ１〜ｄ８）に基づいて例えば図５に示す機械状態画面Ｐ１を表示するようにＬＣＤ１８を制御する。ＬＣＤ１８に表示された機械状態画面Ｐ１は、タッチパネル操作により設定変更を許可する部分と、設定変更を禁止する部分に分けられている。
【００５０】
ユーザが機械状態画面Ｐ１（図６参照）をタッチパネル操作した場合、操作部制御部１４は、当該タッチパネル操作の操作データＤ３を画像制御ＣＰＵ８５に出力する。画像制御ＣＰＵ８５は、この操作データＤ３に基づいて転写紙情報Ｄ１を参照して、当該操作データＤ３が設定変更禁止を示すデータであるか、又は設定変更許可を示すデータであるかを判定する。
【００５１】
操作データＤ３が設定変更禁止を示すデータである場合、画像制御ＣＰＵ８５は、当該操作データＤ３が示すタッチパネル操作を無効にするように操作部制御部１４を制御する。例えば、画像制御ＣＰＵ８５は、設定変更禁止を示す操作データＤ３を無視して次の画面メニューに移行しないようにするか、又は設定変更禁止を示すポップアップウィンドウを表示するように操作部制御部１４を制御する。また、ユーザに設定変更禁止であることを報知するために、画像制御ＣＰＵ８５は、不図示のスピーカから警告音を発生するように制御してもよい。これにより、ユーザは、当該タッチパネル操作による変更が禁止されていることを明確に認識できるようになる。
【００５２】
これに対して、操作データＤ３が設定変更許可を示すデータである場合、画像制御ＣＰＵ８５は、この操作データＤ３に基づいて、不揮発メモリ３４に記憶された用紙トレイＴ１〜Ｔ８における各々の転写紙情報Ｄ１（ｄ１〜ｄ８）を変更する。なお、ＡＤＦ制御部８１は、ＡＤＦ４０の動作を制御するものである。
【００５３】
図３は、各トレイ毎の転写紙情報Ｄ１（ｄ１〜ｄ８）及びトレイ情報ｄ１０〜ｄ８０のデータ構成例を示す説明図である。図３に示す転写紙情報Ｄ１は、不揮発メモリ３４に記憶されている。転写紙情報Ｄ１は、用紙トレイＴ１の転写紙情報ｄ１から用紙トレイＴ８の転写紙情報ｄ８の合計８個の用紙トレイにおける各転写紙情報ｄ１〜ｄ８から構成されている。これらの転写紙情報ｄ１〜ｄ８は、全て同一のデータ構成となっている。例えば、転写紙情報ｄ１は、次のデータ項目から構成されている。
【００５４】
この例で、転写紙情報ｄ１は、「紙種」、「坪量」、「色」、「穴あき」、「主走査画像調整（表面）」、「主走査画像調整（裏面）」、「副走査画像調整（表面）」、「副走査画像調整（裏面）」、「主走査倍率（表面）」、「主走査倍率（裏面）」、「副走査倍率（表面）」、「副走査倍率（裏面）」、「転写電流調整値」、「定着圧接力設定」、「ワイド紙主走査サイズ」、「ワイド紙副走査サイズ」及び「ワイド紙画像位置」のデータ項目から構成されている。
【００５５】
ここで、転写紙情報ｄ１のデータ構成と共に、その最後尾に「トレイ情報」項目ｄ１０を添付している。転写紙情報ｄ１の各データ項目の設定の変更を許可又は禁止を示す識別情報として、例えば、「０」又は「１」が設定される。例えば、ジョブ開始時に用紙トレイＴ１を使用する場合、この用紙トレイＴ１の「トレイ情報」項目ｄ１０の識別情報を「１」に設定する。これにより、例えば用紙トレイＴ１の転写紙情報ｄ１の設定変更を禁止できるようになる。この「トレイ情報」項目ｄ１０の識別情報は、トレイ情報の一例である。
【００５６】
例えば、ユーザが機械状態画面Ｐ１（図６参照）の「トレイ１」ボタンＢ３を押した場合、図２に示した操作部制御部１４は、このタッチパネル操作の操作データＤ３を画像制御ＣＰＵ８５に出力する。画像制御ＣＰＵ８５は、この操作データＤ３から「トレイ情報」項目ｄ１０を参照する。そして、トレイ１が使用中であり設定変更禁止を示すデータ「１」が「トレイ情報」項目ｄ１０に設定されている場合、画像制御ＣＰＵ８５は、タッチパネル操作を無効にするように操作部制御部１４を制御する。例えば、画像制御ＣＰＵ８５は、設定変更禁止を示す操作データＤ３を無視して次の画面メニューに移行しないように制御する。
【００５７】
また、ユーザが機械状態画面Ｐ１（図６参照）の「トレイ３」ボタンＢ５を押した場合、図２に示した操作部制御部１４は、このタッチパネル操作の操作データＤ３を画像制御ＣＰＵ８５に出力する。画像制御ＣＰＵ８５は、この操作データＤ３から「トレイ情報」項目ｄ３０を参照する。そして、トレイ３が未使用であり設定変更許可を示すデータ「０」が「トレイ情報」項目ｄ３０に設定されている場合、画像制御ＣＰＵ８５は、転写紙情報ｄ３の「紙種」や「坪量」等のデータ項目の設定変更を許可する。
【００５８】
図４は、トレイ情報の変更リストｄ１００のデータ構成例を示す説明図である。図４に示す変更リストｄ１００はトレイ情報の一例であり、図３に示したトレイ情報ｄ１０〜ｄ８０とデータ構成が異なる。すなわち、図３は、転写紙情報ｄ１〜ｄ８と共に構成された「トレイ情報」のデータ項目から構成されていた。これに対して、図４に示す変更リストｄ１００は、「トレイ情報」項目ｄ１０’〜ｄ８０’のみから構成され、「紙種」や「坪量」等のデータ項目とは分離されている。
【００５９】
これは、ソフトウェアのプログラミングにおいて、図３に示した転写紙情報ｄ１〜ｄ８は、プログラム中の最も外側のブロックで宣言されて全てのブロックから参照可能なグローバル変数（大域変数）として好適に使用される。これに対して、図４に示す変更リストｄ１００は、宣言されたブロック内だけで有効な変数であるローカル変数（局所変数）として好適に使用される。本実施の形態においては、図３に示した転写紙情報ｄ１〜ｄ８と共に構成された「トレイ情報」ｄ１０〜ｄ８０を用いて設定変更を禁止又は許可するように制御しても良いし、図４に示す変更リストｄ１００を用いて設定変更を禁止又は許可するように制御しても良い。
【００６０】
図４に示す変更リストｄ１００は、その「トレイ情報」項目ｄ１０’には、用紙トレイＴ１に係る転写紙情報の設定の変更の許可又は禁止を示す識別情報として、例えば、「０」又は「１」が設定される。例えば、ジョブ開始時に用紙トレイＴ１を使用する場合、この変更リストｄ１００の「トレイ情報」項目ｄ１０’の識別情報を「１」に設定する。これにより、用紙トレイＴ１の転写紙情報の設定変更を禁止できるようになる。
【００６１】
また、ジョブ開始時に用紙トレイＴ１を使用せず、かつ、当該用紙トレイＴ１にジョブ予約がない場合、変更リストｄ１００の「トレイ情報」項目ｄ１０’の識別情報を「０」に設定する。これにより、用紙トレイＴ１の転写紙情報の設定変更を許可できるようになる。
【００６２】
なお、変更リストｄ１００は、画像制御ＣＰＵ８５によりジョブ開始時にシステムメモリ８３に展開される。また、変更リストｄ１００の各々の配列に対応したトレイ毎の「紙種」や「坪量」等の情報が不揮発メモリ３４に記憶されている。
【００６３】
続いて、ＬＣＤ１８に表示される画面について説明する。図５は、機械状態画面Ｐ１の構成例を示す説明図である。図５に示す機械状態画面Ｐ１は、ＬＣＤ１８の表示画面上の「機械状態」ボタンＢ１を押すことで表示される。なお、機械状態画面Ｐ１などは、例えば１５インチや１７インチサイズのＬＣＤ１８を用いて表示される。
【００６４】
図５に示すように、機械状態画面Ｐ１には、その略中央位置に「用紙トレイ」項目Ｑ１や「ジョブ」項目Ｑ２などが表示されている。この「用紙トレイ」項目Ｑ１は、「トレイ」項目、「サイズ」項目、「名称」項目、「坪量」項目及び「残量」項目から構成されている。
【００６５】
この「トレイ」項目は、トレイ番号「１」〜トレイ番号「８」を表示する。トレイ番号「１」には、図１に示した用紙トレイＴ１が対応し、トレイ番号「２」には、図１に示した用紙トレイＴ２が対応している。同様に、トレイ番号「３」〜「８」には、図１に示した用紙トレイＴ３〜Ｔ８が夫々対応している。
【００６６】
「サイズ」項目には、「Custom」や「12×18」等の用紙サイズを示す情報が表示される。「名称」項目には、「Normal」等の用紙の名称が表示される。「坪量」項目には、１平方メートルあたりの用紙１枚の重量が表示される。「残量」項目には、矢印の文字記号で用紙の残量が表示される。このように、「用紙トレイ」項目Ｑ１は、表示項目が構成されている。
【００６７】
例えば、「用紙トレイ」項目Ｑ１の表示領域ｔ１は、その「トレイ」項目にはトレイ番号「１」が表示され、「サイズ」項目には用紙サイズ「Custom」が表示されている。また、当該表示領域ｔ１には、その「名称」項目には用紙の名称「Normal」が表示され、「坪量」項目には坪量「50-61ｇ」が表示され、「残量」項目には残量を示す下向きの矢印記号が表示されている。
【００６８】
さらに、当該表示領域ｔ１は、その領域の一部が識別可能に色分けされる色分け部ｑ１を有している。この色分け部ｑ１は、橙色などの彩度の高い色に設定される。この場合、「用紙トレイ」項目Ｑ１の背景色は、黒又は灰色など彩度の低い色に設定される。このように色分けして、ユーザに対して設定変更が許可された用紙トレイと設定変更が禁止された用紙トレイとを明確に示す。他の表示領域ｔ２〜表示領域ｔ８も、当該表示領域ｔ１と同様に構成されている。この例で、表示領域ｔ１、ｔ２及びｔ５が、橙色に設定されている。
【００６９】
図２に示した画像制御ＣＰＵ８５は、ジョブが実行又は予約されている用紙トレイであると判定した場合、ＬＣＤ１８に表示される当該用紙トレイの機械状態画面Ｐ１の色分け部ｑ１を、識別できるように橙色に表示制御する。
【００７０】
図６は、トレイ設定画面Ｐ２の構成例を示す説明図である。図６に示すトレイ設定画面Ｐ２は、図５に示す表示画面上の「トレイ設定」ボタンＢ２を押すことで表示される。
【００７１】
図６に示すように、トレイ設定画面Ｐ２には、その略中央位置に「トレイ設定」項目Ｑ３が表示されている。この「トレイ設定」項目Ｑ３には、その左側に「トレイ１」ボタンＢ３〜「トレイ８」ボタンＢ１０が設けられている。また、「トレイ設定」項目Ｑ３には、その右側に「用紙サイズ」項目、「用紙名称」項目、「用紙種類」項目、「坪量」項目などが表示されている。
【００７２】
この例で、「トレイ１」ボタンＢ３、「トレイ２」ボタンＢ４及び「トレイ５」ボタンＢ７が、設定変更の禁止を示す橙色などの彩度の高い色に設定されている。すなわち、これらのボタンＢ３、Ｂ４及びＢ７は、タッチパネル操作が禁止され、ボタンの押圧に対して無反応に設定されている。
【００７３】
図２に示した画像制御ＣＰＵ８５は、ジョブが実行又は予約されている用紙トレイであると判定した場合、ＬＣＤ１８に表示される当該用紙トレイのトレイ設定画面Ｐ２の選択部分（例えばボタンＢ３）を、選択操作不能に制御する。
【００７４】
「トレイ３」ボタンＢ５、「トレイ４」ボタンＢ６、「トレイ６」ボタンＢ８〜「トレイ８」ボタンＢ１０は、設定変更の許可を示す黒又は灰色など彩度の低い色に設定されている。これらのボタンＢ５、Ｂ６及びＢ８〜Ｂ１０は、タッチパネル操作が許可され、ボタンの押圧に対して反応するように設定されている。例えば、図６に示す「トレイ３」ボタンＢ５が押された場合、当該ボタンＢ５の色が変更され、「トレイ３」の転写紙情報が画面右側に表示されている。
【００７５】
図７は、サイズ設定画面Ｐ３の構成例を示す説明図である。図７に示すサイズ設定画面Ｐ３は、図６に示す表示画面上の「設定変更」ボタンＢ１１を押すことで表示される。図７に示すサイズ設定画面Ｐ３は、選択した「トレイ３」の用紙のサイズを変更する画面である。なお、このサイズ設定画面Ｐ３以降の画面は、従来と同様な画面であり、上述の設定変更を禁止又は許可するような設定はない。すなわち、図６に示したトレイ設定画面Ｐ２において、ジョブ開始及びジョブ予約に係る用紙トレイＴ１〜Ｔ８の設定変更を禁止又は許可しているので、その後段では、設定変更を禁止又は許可するような設定はない。
【００７６】
図７に示すように、サイズ設定画面Ｐ３には、その略中央位置に「サイズ設定」項目Ｑ４が表示されている。この「サイズ設定」項目Ｑ４には、その左側に「定形サイズ」ボタンＢ１２、「不定形サイズ」ボタンＢ１３、「ワイド紙」ボタンＢ１４、「インデックス紙」ボタンＢ１５及び「はがみ」ボタンＢ１６が設けられている。また、「サイズ設定」項目Ｑ４には、その右側に「定形サイズ設定」項目などが表示されている。
【００７７】
例えば、図７に示す「定形サイズ」ボタンＢ１２が押されて当該ボタンＢ１２の色が変更され、その定形サイズ設定の説明が画面右側に表示されている。
【００７８】
図８は、個別設定画面Ｐ４の構成例を示す説明図である。図８に示す個別設定画面Ｐ４は、図６に示す表示画面上の「設定変更」ボタンＢ２１を押すことで表示される。図８に示す個別設定画面Ｐ４は、選択した「トレイ３」の用紙の種類や坪量等を変更する画面である。なお、この個別設定画面Ｐ４以降の画面は、従来と同様な画面であり、上述の設定変更を禁止又は許可するような設定はない。すなわち、図６に示したトレイ設定画面Ｐ２において、ジョブ開始及びジョブ予約に係る用紙トレイＴ１〜Ｔ８の設定変更を禁止又は許可しているので、その後段では、設定変更を禁止又は許可するような設定はない。
【００７９】
図８に示すように、個別設定画面Ｐ４には、その略中央位置に「個別設定変更」項目Ｑ５が表示されている。この「個別設定変更」項目Ｑ５には、その左側に「用紙種類」ボタンＢ１７や「坪量」ボタンＢ１８等が設けられている。また、「個別設定変更」項目Ｑ５には、その右側に「用紙種類設定」項目が表示されている。
【００８０】
例えば、図８に示す「用紙種類」ボタンＢ１７が押されて当該ボタンＢ１７の色が変更され、その用紙種類を設定するための「塗工紙」ボタンＢ１９や「普通紙」ボタンＢ２０が画面右側に表示されている。この例では、「普通紙」ボタンＢ２０が押されて、当該ボタンＢ２０の色が変更されて設定されている。
【００８１】
続いて、デジタル複合機１００の動作例を説明する。図９は、デジタル複合機１００の動作例（その１）を示すフローチャートである。この例では、用紙トレイＴ１〜Ｔ８における設定変更の禁止又は許可を示すトレイ情報の変更リストｄ１００（図４参照）を作成する。
【００８２】
図９に示すステップＳＴ１で、図２に示した画像制御ＣＰＵ８５は、選択トレイのジョブが開始（実行）されているか否かを判定する。例えば、画像制御ＣＰＵ８５は用紙トレイＴ１を選択すると共に、プリンタ制御部６５から実行ジョブを受け付けて使用中の用紙トレイの情報を取得する。そして、取得した使用中の用紙トレイの情報と選択した用紙トレイＴ１の情報とを比較して、この用紙トレイＴ１が使用中であるか否かを判定する。この用紙トレイＴ１が使用中であると判定した場合、ステップＳＴ２に移行する。
【００８３】
ステップＳＴ２で、画像制御ＣＰＵ８５は、選択トレイの設定変更を禁止する。例えば、画像制御ＣＰＵ８５は、システムメモリ８３に展開された変更リストｄ１００（図４参照）を参照する。そして、画像制御ＣＰＵ８５は、変更リストｄ１００の「トレイ情報」項目ｄ１０’に「１」を設定する。これにより、用紙トレイＴ１の転写紙情報は、設定変更が禁止される。
【００８４】
また、上述のステップＳＴ１で、用紙トレイＴ１が使用されていないと判定した場合、ステップＳＴ３に移行する。
【００８５】
ステップＳＴ３で、画像制御ＣＰＵ８５は、選択トレイのジョブが予約されているか否かを判定する。例えば、画像制御ＣＰＵ８５は、プリンタ制御部６５から予約ジョブを受け付けて予約中の用紙トレイの情報を取得する。そして、画像制御ＣＰＵ８５は、選択した用紙トレイＴ１が予約設定されているか否かを判定する。
【００８６】
選択した用紙トレイＴ１が予約設定されている場合、上述したステップＳＴ２に移行して、画像制御ＣＰＵ８５は、変更リストｄ１００の「トレイ情報」項目ｄ１０’に「１」を設定する。これにより、用紙トレイＴ１の転写紙情報は、設定変更が禁止される。選択した用紙トレイＴ１が予約設定されていない場合、ステップＳＴ４に移行する。
【００８７】
ステップＳＴ４で、画像制御ＣＰＵ８５は、予約ジョブが削除されたか否かを判定する。例えば、画像制御ＣＰＵ８５は、操作部制御部１４から予約ジョブを削除する操作データＤ３を入力した場合、ステップＳＴ５に移行する。
【００８８】
ステップＳＴ５で、画像制御ＣＰＵ８５は、他のジョブが、削除したジョブにおいて予約していた用紙トレイを使用するか否かを判定する。例えば、画像制御ＣＰＵ８５は上述のステップＳＴ３で、プリンタ制御部６５から取得した予約中の用紙トレイの情報を参照して、他のジョブが、削除ジョブにおいて予約していた用紙トレイを使用するか否かを判定する。他のジョブが、削除ジョブで予約していた用紙トレイを使用しないと判定した場合、ステップＳＴ６に移行する。
【００８９】
ステップＳＴ６で、画像制御ＣＰＵ８５は、選択トレイの設定変更を許可する。例えば、画像制御ＣＰＵ８５は、システムメモリ８３に展開された変更リストｄ１００（図４参照）を参照する。そして、画像制御ＣＰＵ８５は、変更リストｄ１００の「トレイ情報」項目ｄ１０’に「０」を設定する。これにより、用紙トレイＴ１の転写紙情報は、設定変更が許可される。
【００９０】
また、上述のステップＳＴ５で、画像制御ＣＰＵ８５は、他のジョブが、削除ジョブで予約していた用紙トレイを使用すると判定した場合、変更リストｄ１００の「トレイ情報」項目ｄ１０’を変更せず「１」の設定を継続する。
【００９１】
また、上述のステップＳＴ４で、画像制御ＣＰＵ８５は、操作部制御部１４から予約ジョブを削除する操作データＤ３を入力しなかった場合、ステップＳＴ７に移行する。
【００９２】
ステップＳＴ７で、画像制御ＣＰＵ８５は、ジョブが終了したか否かを判定する。例えば、画像制御ＣＰＵ８５は、プリンタ制御部６５からジョブの終了を示す情報を入力した場合ステップＳＴ８に移行し、当該ジョブの終了を示す情報を入力しなかった場合、処理の終了となる。
【００９３】
ステップＳＴ８で、画像制御ＣＰＵ８５は、他のジョブが、終了したジョブで使用していた用紙トレイを使用するか否かを判定する。例えば、画像制御ＣＰＵ８５は、上述のステップＳＴ３で、プリンタ制御部６５から取得した予約中の用紙トレイの情報を参照して、他のジョブが、終了ジョブで予約していた用紙トレイを使用するか否かを判定する。他のジョブが、終了ジョブで使用していた用紙トレイを使用しないと判定した場合、上述のステップＳＴ６に移行する。ステップＳＴ６で、画像制御ＣＰＵ８５は、例えば変更リストｄ１００の「トレイ情報」項目ｄ１０’に「０」を設定する。これにより、用紙トレイＴ１の転写紙情報は、設定変更が許可される。また、ステップＳＴ８で、画像制御ＣＰＵ８５は、他のジョブが、終了ジョブで使用していた用紙トレイを使用すると判定した場合、処理の終了となる。
【００９４】
なお、図９に示すフローチャートでは、用紙トレイＴ１を例にして説明したが、用紙トレイＴ２〜Ｔ８についても用紙トレイＴ１と同様の処理を行う。そして、変更リストｄ１００の「トレイ情報」項目ｄ２０’〜ｄ８０’に「０」又は「１」を設定する。
【００９５】
また、図９に示すステップＳＴ３で、例えば、選択した用紙トレイＴ１が予約設定されていない場合に、画像制御ＣＰＵ８５は、この用紙トレイＴ１の設定変更を許可するように制御してもよい。
【００９６】
図１０は、デジタル複合機１００の動作例（その２）を示すフローチャートである。この例では、図９で作成した変更リストｄ１００（図４参照）に基づいて、ＬＣＤ１８の画面表示を制御する。この変更リストｄ１００は、画像制御ＣＰＵ８５によりシステムメモリ８３に展開されている。
【００９７】
図１０に示すステップＳＴ２０で、画像制御ＣＰＵ８５は、判断対象の用紙トレイをカウントするカウンタに初期値である「１」をセット（設定）してステップＳＴ２１に移行する。
【００９８】
ステップＳＴ２１で、画像制御ＣＰＵ８５は、判断対象の用紙トレイは使用される用紙トレイであるか否かを判定する。例えば、画像制御ＣＰＵ８５は、システムメモリ８３に展開された変更リストｄ１００の「トレイ情報」項目ｄ１０’を参照する。そして、画像制御ＣＰＵ８５は、「トレイ情報」項目ｄ１０’の設定値が「１」である場合ステップＳＴ２２に移行し、当該設定値が「０」である場合ステップＳＴ２３に移行する。
【００９９】
ステップＳＴ２２で、画像制御ＣＰＵ８５は、判断対象の用紙トレイの転写紙情報を設定変更禁止にするために、当該変更禁止に係るＬＣＤ１８のタッチパネル操作を無効にすると共に、ＬＣＤ１８の所定部分を色分けするように制御する。
【０１００】
例えば、画像制御ＣＰＵ８５は、図６に示したように、ＬＣＤ１８に表示されたトレイ設定画面Ｐ２の「トレイ１」ボタンＢ３を、設定変更の禁止を示す橙色などの彩度の高い色に設定する。
【０１０１】
この「トレイ１」ボタンＢ３がユーザにより押された場合、画像制御ＣＰＵ８５は、操作部制御部１４から入力した操作データＤ３に基づいて、変更リストｄ１００の「トレイ情報」項目ｄ１０’を参照する。そして、設定変更禁止を示すデータ「１」が「トレイ情報」項目ｄ１０’に設定されている場合、画像制御ＣＰＵ８５は、タッチパネル操作を無効にするように操作部制御部１４を制御する。続いて、ステップＳＴ２３に移行する。
【０１０２】
ステップＳＴ２３で、画像制御ＣＰＵ８５は、判断対象の用紙トレイをカウントするカウンタをカウントアップしてステップＳＴ２４に移行する。
【０１０３】
ステップＳＴ２４で、画像制御ＣＰＵ８５は、カウンタのカウント値が、接続している用紙トレイの合計数を超過しているか否かを判定する。カウンタのカウント値が、用紙トレイの合計数（＝８）未満である場合、ステップＳＴ２１に戻る。また、カウンタのカウント値が、用紙トレイの合計数（＝８）を超過した場合、処理の終了となる。
【０１０４】
図１１は、デジタル複合機１００の動作例（その３）を示すフローチャートである。この例では、図９で作成したトレイ情報の変更リストｄ１００を用いて、用紙トレイＴ１〜Ｔ８における転写紙情報の設定変更を禁止又は許可する。この変更リストｄ１００は、画像制御ＣＰＵ８５によりシステムメモリ８３に展開されている。なお、図３に示したトレイ情報ｄ１０〜ｄ８０を用いて、用紙トレイＴ１〜Ｔ８における転写紙情報の設定変更を禁止又は許可してもよい。
【０１０５】
図１１に示すステップＳＴ３０で、画像制御ＣＰＵ８５は、用紙トレイの転写紙情報の設定を変更するためのボタンが押されたか否かを判定する。例えば、図６に示したトレイ設定画面Ｐ２の「トレイ１」ボタンＢ３が押された場合、画像制御ＣＰＵ８５は、操作部制御部１４から用紙トレイＴ１が選択されたことを示す操作データＤ３を入力する。そして、画像制御ＣＰＵ８５は、用紙トレイの転写紙情報の設定を変更するためのボタンが押されたと判定してステップＳＴ３１に移行する。また、用紙トレイの転写紙情報の設定を変更するためのボタンが押されなかった場合、再び当該ステップＳＴ３０で判定を繰り返す。
【０１０６】
ステップＳＴ３１で、画像制御ＣＰＵ８５は、システムメモリ８３に展開された変更リストｄ１００を参照する。そして、画像制御ＣＰＵ８５は、例えば変更リストｄ１００の「トレイ情報」項目ｄ１０’の設定値を取得してステップＳＴ３２に移行する。
【０１０７】
ステップＳＴ３２で、画像制御ＣＰＵ８５は、変更リストｄ１００に基づいて、用紙トレイの転写紙情報の設定変更を許可するか否かを判定する。例えば、画像制御ＣＰＵ８５は、変更リストｄ１００の「トレイ情報」項目ｄ１０’に設定されたデータを読み出す。そして、この「トレイ情報」項目ｄ１０’に設定されたデータが、トレイを使用中であって変更禁止を示すデータ「１」である場合、画像制御ＣＰＵ８５は、転写紙情報の設定変更を禁止すると判定してステップＳＴ３３に移行する。
【０１０８】
ステップＳＴ３３で、画像制御ＣＰＵ８５は、タッチパネル操作を無効にするように操作部制御部１４を制御する。例えば、画像制御ＣＰＵ８５は、設定変更禁止を示す操作データＤ３を無視して次の画面メニューに移行しないように制御して処理の終了となる。
【０１０９】
また、上述のステップＳＴ３２で、画像制御ＣＰＵ８５は、「トレイ情報」項目ｄ１０’に設定されたデータが、トレイが未使用であって変更許可を示すデータ「０」である場合、転写紙情報の設定変更を許可すると判定してステップＳＴ３４に移行する。
【０１１０】
ステップＳＴ３４で、画像制御ＣＰＵ８５は、用紙トレイの転写紙情報の設定変更画面を表示するようにＬＣＤ１８を制御する。例えば、画像制御ＣＰＵ８５は、図６に示した「トレイ３」ボタンＢ５に続いて「設定変更」ボタンＢ１１が押されて、図７に示したサイズ設定画面Ｐ３を表示するようにＬＣＤ１８を制御する。
【０１１１】
このように、本発明に係るデジタル複合機１００及びその制御方法によれば、ジョブが実行又は予約されている用紙トレイであると判定した場合には、当該用紙トレイの転写紙情報の変更を禁止し、ジョブが実行及び予約されていない用紙トレイであると判定した場合には、当該用紙トレイの転写紙情報の変更を許可するものである。
【０１１２】
この構成によって、ジョブ実行中に、誤って使用トレイ及び予約トレイの転写紙情報を書き換えることなく、未使用トレイの転写紙情報のみを確実に書き換えることができる。これにより、ジョブ実行中に未使用トレイを有効活用できるので、当該複合機１００を停止させることなく大量のジョブを連続で出力することができる。
【図面の簡単な説明】
【０１１３】
【図１】本発明に係る実施の形態としてのデジタル複合機１００の構成例を示す概略図である。
【図２】デジタル複合機１００の制御系の構成例示すブロック図である。
【図３】転写紙情報Ｄ１（ｄ１〜ｄ８）のデータ構成例を示す説明図である。
【図４】トレイ情報の変更リストｄ１００のデータ構成例を示す説明図である。
【図５】機械状態画面Ｐ１の構成例を示す説明図である。
【図６】トレイ設定画面Ｐ２の構成例を示す説明図である。
【図７】サイズ設定画面Ｐ３の構成例を示す説明図である。
【図８】個別設定画面Ｐ４の構成例を示す説明図である。
【図９】デジタル複合機１００の動作例（その１）を示すフローチャートである。
【図１０】デジタル複合機１００の動作例（その２）を示すフローチャートである。
【図１１】デジタル複合機１００の動作例（その３）を示すフローチャートである。
【符号の説明】
【０１１４】
１１  スキャナ部  
１２  ＬＡＮインタフェース
１３  ＤＲＡＭ制御ＩＣ
１４  操作部制御部
１５  制御部
１５Ａ  画像信号制御部
１６  画像メモリ
１７  コントローラ制御部
１８  ＬＣＤ
２１  プリントコントローラ
２３  給紙手段
３０Ｔ  大容量用紙トレイ
３３  画像メモリ
３４  不揮発メモリ（記憶部）
３５  ＤＲＡＭ制御ＩＣ
４８  操作部（表示操作部）
６０  書き込み処理部
７０  画像形成部
８１  ＡＤＦ制御部
８３  システムメモリ
８４  プログラムメモリ
８５  画像制御ＣＰＵ（制御部）
９０  後処理装置
１００  デジタル複合機（画像形成装置）
Ｔ１〜Ｔ８  用紙トレイ
【図１】
2009274391.tif 000003
【図２】
2009274391.tif 000004
【図３】
2009274391.tif 000005
【図４】
2009274391.tif 000006
【図５】
2009274391.tif 000007
【図６】
2009274391.tif 000008
【図７】
2009274391.tif 000009
【図８】
2009274391.tif 000010
【図９】
2009274391.tif 000011
【図１０】
2009274391.tif 000012
【図１１】
2009274391.tif 000013